(57)【要約】【技術課題】ナノバブル化された電気分解還元水素水を短時間に大量に生成することができると共に、効能を長時間保持できる電気分解還元水素水生成用のマドラーを得る。【解決手段】プラス極面２ａとマイナス極面２ｂとの間に電動式の圧電セラミックス５を組み込み、電気分解還元水素水生成時に、圧電セラミックス５に電圧を印加してプラス極面２ａとマイナス極面２ｂの双方に微振動を発生させることによりナノバブルを高速で大量に生成する。【選択図】図２
2008289682.tif 000002
【特許請求の範囲】
【請求項１】
プラス極面とマイナス極面との間に微振動発生体を組み込み、電気分解還元水素水生成時に、前記微振動発生体に電圧を印加してプラス極面とマイナス極面の双方に微振動を発生させることにより、微細なナノバブルを高速で大量に生成することができるように構成して成る電気分解還元水素水生成用マドラー。
【請求項２】
前記微振動発生体が圧電セラミックスから成ることを特徴とする請求項１に記載の電気分解還元水素水生成用マドラー。
【請求項３】
前記プラスとマイナス極面の表面にメッキによる析出構造層を形成してナノバブルの発生を促進させるように構成して成る請求項１に記載の電気分解還元水素水生成用マドラー。
【請求項４】
前記プラスとマイナス極面及び微振動発生体の駆動用電源に充電式電池を用いて成る請求項１に記載の電気分解還元水素水生成用マドラー。
【発明の詳細な説明】
【技術分野】
【０００１】
本発明は、電気分解還元水素水（以下「還元水素水」という。）を生成するマドラーに関するものである。
【背景技術】
【０００２】
本発明者は、特開２００５−９５８０８号として、還元水素水を生成するためのマドラー（水素水製造用攪拌具）を提案している。
このマドラーは、簡易に還元水素水を生成することができる特徴を有しているが、その使用に際しては、コップ等に水を入れ、これにマドラーを挿入して手動又は電動でマドラーを回転させながらコップ内の水を攪拌して還元水素水を生成する方式のため、生成に時間がかかり、また、還元水素水としての効能は、長くて１日程度で消失してしまうことから、毎日のように生成を行う必要があり、面倒である。
【特許文献１】特開２００５−９５８０８号公報
【発明の開示】
【発明が解決しようとする課題】
【０００３】
本発明は、斯る点に鑑みて提供されるものであって、その第１の目的は、還元水素水の生成時にいちいち攪拌したり回転したりしないで済むマドラーを提供することである。
更に第２の目的は、短時間に大量に還元水素水を生成できるマドラーを提供することである。
更に第３の目的は、発生する気泡をナノバブル化することにより、３〜５日間水素が水中に残存してその性能を保持する還元水素水を生成するマドラーを提供することである。
更に第４の目的は、携帯してどこででも手軽に使用できるマドラーを提供することである。
【課題を解決するための手段】
【０００４】
上記目的を達成するため、請求項１に記載の発明においては、電気分解還元水素水生成用マドラーにおいて、プラス極面とマイナス極面との間に微振動発生体を組み込み、電気分解還元水素水生成時に、前記微振動発生体に電圧を印加してプラス極面とマイナス極面の双方に微振動を発生させることにより、微細なナノバブルを高速で大量に生成することができるように構成して成ることを特徴とするものである。
【０００５】
更に、請求項２に記載の発明においては、請求項１に記載の電気分解還元水素水生成用マドラーにおいて、前記微振動発生体が圧電セラミックスから成ることを特徴とするものである。
【０００６】
更に、請求項３に記載の発明においては、請求項１に記載の電気分解還元水素水生成用マドラーにおいて、前記プラスとマイナス極面の表面にメッキによる析出構造層を形成してナノバブルの発生を促進させるように構成して成ることを特徴とするものである。
【０００７】
更に、請求項４に記載の発明においては、請求項１に記載の電気分解還元水素水生成用マドラーにおいて、前記プラスとマイナス極面及び微振動発生体の駆動用電源に充電式電池を用いて成ることを特徴とするものである。
【発明の効果】
【０００８】
本発明に係るマドラーは、以上の如き構成を有することにより、次の効果を発揮する。
１．電気分解中、電極面を微振動させるため、この微振動により電極面に付着した気泡    が離れて電気分解が促進されるため、短時間に大量の還元水素水を生成できる。
２．電極面にデンドライト構造層を形成したことにより、電極面において気泡発生面積    が拡大し、この分大量の還元水素水を短時間で生成できる。
３．電極面の微振動とデンドライト構造層の作用により、大量に発生する気泡をナノバ    ブル化することができる。
この結果、このナノバブル化された気泡の場合、水中において水素が長期間安定し    て残存するため、３〜５日間は還元水素水としての機能を保持できる。
４．電気分解及び微振動体の駆動用電源に充電式電池を使用することにより、任意のと    ころに携帯して使用することができるため、例えば旅行先に携行できて便利である。
【実施例】
【０００９】
上記請求項１〜４に記載した本発明の実施例を図１〜図６に基づいて詳細に説明する。図１は、本発明に係るマドラーに電池を取り付けた状態の説明図、図２はマドラーの断面図、図３はコップ内にマドラーを挿入して電気分解中の説明図、図４（Ａ）（Ｂ）はデンドライト構造層の拡大説明図、図５はハンドル型充填式電池とこの充電スタンドの説明図である。
上記各図において、符号の１はマドラーであって、このマドラー１は、電極部２とこの電極部２を先端に取り付けている把手部３と、把手部３の上端に形成された端子部４から成る。
【００１０】
前記電極部２は、図２に示すように、片面にプラス極面２ａとこの反対面にマイナス極面２ｂを形成し、この両極面２ａ、２ｂの中間に圧電セラミックス５を挟み込んだ構成から成り、前記端子部４に接続した充電式電池６及び導体６ａからの給電により、図３に示すようにガラスコップ７内に入れた飲料水８を電気分解して還元水素水を生成することができる。３ａは、把手部３に取り付けたフックであって、ガラスコップ７の縁７ａにこのフック３ａを引っ掛けておくことができる。
９は、両極面２ａ、２ｂの表面に形成された針状（図４（Ａ））、又は樹枝状（図４（Ｂ））の析出（デンドライト）構造層であって、この析出構造層９は、ニッケル合金メッキにより形成されたものである。なお、このニッケル合金メッキに代えて、銅メッキにより、針状又は樹枝状の析出ではなく、ポーラスな析出構造としても良い。
【００１１】
実施例の場合、前記充電式の電池６からは、３Ｗ（２４Ｖ、１２０ｍＡ）の電力の供給が可能であり、この電力を供給すると、圧電セラミックス５は約１．７ＭＨ2の超高速振動を発生し、この振動は両極面２ａ、２ｂに伝わり、０．１〜０．５ミクロンの水素ナノバブルを析出構造層９から大量に発生することができる。
上記電気分解時の還元電位（ＯＲＰ）を測定した結果を次に示す。
水道水・・・・・・・・・・・＋４５０〜５００ｍＶ
通電３０秒後・・・・・・・・−３５０〜３９０ｍＶ
通電  １分後・・・・・・・・−７５０ｍＶ
通電  ２分後・・・・・・・・−８５０ｍＶ
通電  ３分後・・・・・・・・−９３０〜１０３０ｍＶ
通電を停止して、１時間放置した場合、−７８０〜８２０ｍＶを示した。
【００１２】
図５は、スタンド型充電器１０を示し、このスタンド型充電器１０で充電式電池６に充電を行う。このため、旅先では、このスタンド型充電器１０を一緒に携行することで、例えば２００ｃｃのコップの水を電解６分間でＯＲＰ−３８０ｍＶの水素水にし、繰り返し回数１０回、のべ１時間の使用が可能である。すなわち、１回２時間の充電で、合計２Ｌの還元水素水を生成することができる。
なお、本発明のマドラー１は、ガラスコップ７に固定して振動だけで生成を行っても良いが、適当に攪拌動作を加えるようにしてもよい。
【図面の簡単な説明】
【００１３】
【図１】本発明に係るマドラーの説明図
【図２】本発明に係るマドラーの断面図
【図３】本発明に係るマドラーの使用状態の説明図
【図４】デンドライトの説明図であって、（Ａ）は針状、（Ｂ）は樹枝状を示す。
【図５】スタンド型充電器の説明図
【符号の説明】
【００１４】
１  マドラー
２  電極部
２ａ  プラス極面
２ｂ  マイナス極面
３  把手部
４  端子部
５  圧電セラミックス
６  充電式電池
７  ガラスコップ
８  飲料水
９  析出構造層
１０  スタンド型充電器
【図１】
2008289682.tif 000003
【図２】
2008289682.tif 000004
【図３】
2008289682.tif 000005
【図４】
2008289682.tif 000006
【図５】
2008289682.tif 000007